(57)【特許請求の範囲】
【請求項１】
外周に係止用の溝を形成した突起を上面中央に設けると共に、下面が外部と接続される接続部とした絶縁基板と、金属板をＬ字状に折り曲げて形成され、上記絶縁基板の突起の近傍に設けた孔に上面側から挿入貫通され、絶縁基板の上面に密着する平面接点部と同下面側の接続部に挿通する接続端子部を有し、上記絶縁基板の突起から放射状に配置された複数の端子板と、この複数の端子板の平面接点部の折り曲げ根元部を押さえるように上記絶縁基板の突起の外周の溝にはめ込まれた絶縁性ワッシャからなる端子基板と、この端子基板の上面に配置された上記複数の端子板の平面接点部の先端に当接する段部を外周下端に設け、上記端子基板の上面側に結合された絶縁樹脂からなる釣鐘状のカバーと、上記平面接点部に弾接する可動接点を下面側に保持して上記カバーの内部に配置されると共に、上面側に設けた操作軸が上記カバーの上部中央に設けた軸受部に回転可能に係合された回転体からなる回転操作型のスイッチ。
【請求項２】
端子基板に対向する回転体の面に、上記端子基板の絶縁性ワッシャの外周および上面の一部を囲うリング状の突出部を設けた請求項１記載のスイッチ。
【発明の詳細な説明】
【０００１】
【発明の属する技術分野】
本発明は、主として自動車の車室内等に装着される操作用スイッチに使用されるスイッチに関するものである。
【０００２】
【従来の技術】
従来のこの種の操作用スイッチに使用される端子基板およびそれを用いたスイッチについて、図５〜図８により説明する。
【０００３】
図５（ａ）は端子基板の平面図、（ｂ）は同正面断面図、（ｃ）は同底面図であり、同図において、１は成形樹脂からなる絶縁基板で、円板状の接点基板部１Ａと下面のコネクタ用ハウジング部１Ｂからなり、接点基板部１Ａの上面には、図５（ａ）に示すように、複数個の端子板２の平面接点部２Ａが円形中心から放射状に配され、ハウジング部１Ｂ内には、図５（ｂ）および（ｃ）に示すように、端子板２の接続端子部２Ｂが接点基板部１Ａの下面から突出している。
【０００４】
この平面接点部２Ａと接続端子部２Ｂからなる端子板２は、図６に示すように金属板をＬ字形に折り曲げて形成されるものであり、その接続端子部２Ｂを、図５（ｂ）に示すように、上記絶縁基板１の円形の接点基板部１Ａの中心近くの貫通孔１Ｃに上方から挿入貫通し、コネクタ用ハウジング部１Ｂ内の接点基板部１Ａの下面に出た接続端子部２Ｂの段部２Ｃをカシメることにより抜け止め固定して絶縁基板１に端子板２を装着した端子基板を形成しており、コネクタ用ハウジング部１Ｂに挿入される相手側コネクタのソケット部（図示せず）が結合することにより外部の機器に接続されるように構成されたものである。
【０００５】
このようにして形成された端子基板を用いたスイッチの正面断面図を図７に示す。
【０００６】
同図において、３は成形樹脂製の釣鐘状のカバーで、その上部中央の軸受部３Ａに回転体４Ａと一体化された操作軸部４Ｂを所定の角度だけ回転できるように嵌合保持すると共に、その下面の開口部を覆うように上記端子基板が配され、その接点基板部１Ａ外周の突部１Ｄをカバー外周下端の孔３Ｂに下方からはめ込むことにより結合されている。
【０００７】
そして、回転体４Ａの中心部下方の突起部４Ｃが接点基板部１Ａの中心部上面に回転可能に支持されることによって、接点基板部１Ａの上面と所定の間隔を確保された回転体４Ａの下面には可動接点５が保持され、その弾性接点５Ａが端子基板の接点基板部１Ａ上の平面接点部２Ａに弾接してスイッチの接点部を形成している。
【０００８】
また、カバー３の上部に保持された節度ピン６が、ばね７の圧力により回転体４Ａ上面の凹凸面４Ｄに弾接して節度機構部を形成しており、図８の断面図に示すように、通常状態において一方の凹部４Ｄ１内にはまり込んで、回転体４Ａの回転角度位置すなわち可動接点５の弾性接点５Ａが接触する接点基板部１Ａの位置を安定に保っている。
【０００９】
このように構成されたスイッチの動作について説明すると、操作軸部４Ｂの上部に装着されたつまみ８を回転操作することによって操作軸部４Ｂすなわち回転体４Ａが回転させられ、これに伴って回転体４Ａ上面の放射状凹凸面４Ｄが回転して、節度ピン６が弾接する凹部の位置が凸部４Ｄ２を越えて他方の凹部４Ｄ３へと移ると共に、回転体４Ａの下面に保持された可動接点５の弾性接点５Ａがそれまで接触していた位置の平面接点から隣の平面接点へと、図５（ａ）に矢印で示すように移動し、その信号が接続端子部２Ｂに出力されるものである。
【００１０】
【発明が解決しようとする課題】
しかしながら上記従来の端子基板およびそれを用いたスイッチの構成では、平面接点部２Ａと接続端子部２Ｂからなる端子板２の絶縁基板１への固定方法が、絶縁基板１の接点基板部１Ａの貫通孔１Ｃに接続端子部２Ｂを上方から挿入貫通し、接点基板部１Ａの下面に出た接続端子部２Ｂの段部２Ｃをカシメることによるものであるが、接続端子部２Ｂはコネクタの接続プラグ部を兼ねており、その配列ピッチも規定されているため大きくできず、またカシメ用段部２Ｃはコネクタ用ハウジング部１Ｂの奥にあるため、専用のカシメ治具が必要であると共に、強くカシメすぎると平面接点部２Ａの先端が浮き上がるためカシメ作業の効率が悪かった。
【００１１】
また、カシメ代の高さ分だけ端子基板の接続端子部２Ｂおよびコネクタ用ハウジング部１Ｂの高さすなわちスイッチ全体の高さが大きくなるという課題もあった。
【００１２】
本発明はこのような従来の課題を解決するものであり、端子板を効率的に安定して絶縁基板に固定でき、スイッチ全体の高さも低くできるスイッチを提供することを目的とするものである。
【００１３】
【課題を解決するための手段】
本発明は上記課題を解決するために、絶縁基板の上面中央に外周に溝を有する突起を設け、この突起の溝にはめ込んだ絶縁性ワッシャによって、絶縁基板の孔に挿入された端子板の平面接点部の折り曲げの根元部を押さえて端子板を絶縁基板に固定した端子基板とすると共に、端子基板と絶縁樹脂製の釣鐘状のカバーを結合してスイッチとして組み立てる際に、カバーの外周下端の段部で端子板の平面接点部の外周を押さえ付ける構成としたものである。
【００１４】
これにより、品質の安定した端子基板を容易に形成することができると共に、高さの低いスイッチを提供することができる。
【００１５】
【発明の実施の形態】
本発明の請求項１に記載の発明は、外周に係止用の溝を形成した突起を上面中央に設けると共に、下面が外部と接続される接続部とした絶縁基板と、金属板をＬ字状に折り曲げて形成され、上記絶縁基板の突起の近傍に設けた孔に上面側から挿入貫通され、絶縁基板の上面に密着する平面接点部と同下面側の接続部に挿通する接続端子部を有し、上記絶縁基板の突起から放射状に配置された複数の端子板と、この複数の端子板の平面接点部の折り曲げ根元部を押さえるように上記絶縁基板の突起の外周の溝にはめ込まれた絶縁性ワッシャからなる端子基板と、この端子基板の上面に配置された上記複数の端子板の平面接点部の先端に当接する段部を外周下端に設け、上記端子基板の上面側に結合された絶縁樹脂からなる釣鐘状のカバーと、上記平面接点部に弾接する可動接点を下面側に保持して上記カバーの内部に配置されると共に、上面側に設けた操作軸が上記カバーの上部中央に設けた軸受部に回転可能に係合された回転体からなる回転操作型のスイッチとしたものであり、端子板を絶縁基板に容易に確実に固定できて、しかも端子基板およびスイッチ全体の高さを低くできると共に、端子板の平面接点部の先端が浮き上がることを完全に防止できるという作用を有する。
【００１７】
請求項２に記載の発明は、請求項１記載の発明において、端子基板に対向する回転体の面に、上記端子基板の絶縁性ワッシャの外周および上面の一部を囲うリング状の突出部を設けた構成としたものであり、端子板の接続端子部が上方に強く押されて端子板の折り曲げ根元部を押さえている絶縁性ワッシャを外そうとする力が働いた場合に、絶縁性ワッシャが変形して外れることを防止するという作用を有する。
【００１８】
以下、本発明の一実施の形態について図１〜図４を用いて説明する。
図１（ａ）は同実施の形態による端子基板の平面図、（ｂ）は同正面断面図、（ｃ）は同底面図であり、同図において、１１は成形樹脂からなる絶縁基板で、円板状の接点基板部１１Ａと下面のコネクタ用ハウジング部１１Ｂからなり、接点基板部１１Ａの上面には、図１（ａ）に示すように、複数個の端子板１２の平面接点部１２Ａが円形中心から放射状に配され、ハウジング部１１Ｂ内には、図１（ｂ）および（ｃ）に示すように、端子板１２の接続端子部１２Ｂが接点基板部１１Ａの下面から突出している構成は従来例と同様である。
【００１９】
そして、平面接点部１２Ａと接続端子部１２Ｂからなる端子板１２が、図２に示すように、金属板をＬ字形に折り曲げて形成され、その接続端子部１２Ｂを、図１（ｂ）に示すように、上記絶縁基板１１の円形の接点基板部１１Ａの中心近くの貫通孔１１Ｃに上方から挿入貫通することも従来例と同じ構成であるが、この後図３に示すように、Ｃ字形の絶縁性ワッシャ１３を接点基板部１１Ａの上面中央に設けられた突起１１Ｄの外周の溝１１Ｅに横方向からはめ込んで装着し、その下面で接続端子部１２Ｂの折り曲げの根元部を押さえることにより接続端子部１２Ｂを抜け止め固定して、絶縁基板１１に端子板１２を装着した端子基板として完成するように構成したものである。
【００２０】
次に、このようにして形成された端子基板を用いた本発明の一実施の形態によるスイッチの正面断面図を図４に示す。
【００２１】
同図において、１４は成形樹脂製の釣鐘状のカバーで、その上部中央の軸受部１４Ａに回転体１５Ａと一体化された操作軸部１５Ｂを回転可能に嵌合保持すると共に、その下面の開口部を覆うように上記端子基板が配され、その接点基板部１１Ａ外周の突部１１Ｆをカバー外周下端の孔１４Ｂに下方からはめ込むことにより結合されていることは従来例と同様の構成であるが、カバー１４と端子基板を結合させる際に、カバー外周下端の段部１４Ｃで接点基板部１１Ａ上の平面接点部１２Ａの先端を押さえ付けて浮き上がらないようにしている。
【００２２】
そして、回転体１５Ａの中心部下面を上記接点基板部１１Ａの上面中央の突起１１Ｄの先端で回転可能に支持することにより接点基板部１１Ａの上面と所定の間隔を確保された回転体１５Ａの下面には可動接点１６が保持され、その弾性接点１６Ａが接点基板部１１Ａ上の平面接点部１２Ａに弾接してスイッチ接点を形成している。
【００２３】
また、カバー１４の上部に保持された節度ピン１７が、ばね１８の圧力により回転体１５Ａ上面の凹凸部１５Ｃに弾接して節度機構部を構成していることは従来例と同様の構成である。
【００２４】
更に、回転体１５Ａの下面の可動接点１６の内側に設けられたリング状突出部１５Ｄは、対向する接点基板部１１Ａ上面の突起１１Ｄの外周の溝１１Ｅにはめ込まれた絶縁性ワッシャ１３の外周および外周上面を囲うように設けられており、絶縁性ワッシャ１３が変形して溝１１Ｅから外れることを防止するものである。
【００２５】
以上のように構成される本実施の形態のスイッチの動作は、従来例のスイッチの動作と全く同じであるので、その説明を省略する。
【００２６】
【発明の効果】
以上のように本発明によれば、端子板を固定するための特別な治具等を使用しないで、端子板を絶縁基板に固定した端子基板を効率よく安定して組み立てることができると共に、高さ寸法が低く品質の安定したスイッチを得ることができる。
【図面の簡単な説明】
【図１】（ａ）本発明の一実施の形態による端子基板の平面図
（ｂ）同正面断面図
（ｃ）同底面図
【図２】同端子板の斜視図
【図３】同端子基板に絶縁性ワッシャを装着する方法を説明する平面図
【図４】同端子基板を用いたスイッチの正面断面図
【図５】（ａ）従来の端子基板の平面図
（ｂ）同正面断面図
（ｃ）同底面図
【図６】同端子板の斜視図
【図７】同端子基板を用いたスイッチの正面断面図
【図８】図７のＡ−Ａ線における断面図
【符号の説明】
１１  絶縁基板
１１Ａ  接点基板部
１１Ｂ  コネクタ用ハウジング部
１１Ｃ  貫通孔
１１Ｄ  突起
１１Ｅ  溝
１１Ｆ  突部
１２  端子板
１２Ａ  平面接点部
１２Ｂ  接続端子部
１３  絶縁性ワッシャ
１４  釣鐘状のカバー
１４Ａ  軸受部
１４Ｂ  孔
１４Ｃ  段部
１５Ａ  回転体
１５Ｂ  操作軸部
１５Ｃ  凹凸部
１５Ｄ  リング状突出部
１６  可動接点
１６Ａ  弾性接点
１７  節度ピン
１８  ばね
【図１】
0003873314.tif 000002
【図２】
0003873314.tif 000003
【図３】
0003873314.tif 000004
【図４】
0003873314.tif 000005
【図５】
0003873314.tif 000006
【図６】
0003873314.tif 000007
【図７】
0003873314.tif 000008
【図８】
0003873314.tif 000009